(57)【要約】【課題】外部からファンに向けて空気流が流れ込みにくい吹出しグリルを備える室外機を提供する。【解決手段】室外機１は、ファン９を収納するケーシング２と、ケーシング２に取り付けられる吹出しグリル３とを備えるものであって、吹出しグリル３は、互いに間隔をおいて配置される複数の桟３２を備え、桟３２のケーシング外側の端部には、ケーシング内に入り込む気流の流れを乱す気流抵抗部が形成されており、桟３２の長手方向に直交する断面における桟３２の幅が最大となる部分は、桟３２の少なくともケーシング外側にあり、気流抵抗部は平面部３５又はケーシング内に向けて凹む凹部３９の少なくともいずれか一方を有する。【選択図】図６
2017120143.tif 000002
【特許請求の範囲】
【請求項１】
ファンを収納するケーシングと、
前記ケーシングに取り付けられる吹出しグリルとを備える室外機であって、
前記吹出しグリルは、互いに間隔をおいて配置される複数の桟を備え、
前記桟のケーシング外側の端部には、前記ケーシング内に入り込む気流の流れを乱す気流抵抗部が形成されており、
前記桟の長手方向に直交する断面における前記桟の幅が最大となる部分は、前記桟の少なくとも前記ケーシング外側にあり、
前記気流抵抗部は、平面部又は前記ケーシング内に向けて凹む凹部の少なくともいずれか一方を有する室外機。
【請求項２】
前記桟の断面における前記桟の最大幅ｄに対する前記気流抵抗部の幅ｄ１の比ｄ１／ｄが０．２以上０．９以下である請求項１に記載の室外機。
【請求項３】
前記桟の幅が最大となる部分は、前記桟のケーシング内側から前記ケーシング外側に向けて一定の長さを有する請求項１又は２記載の室外機。
【請求項４】
前記桟の幅は、前記ケーシング内側から前記ケーシング外側に向けて徐々に厚くなっている請求項１又は２記載の室外機。
【請求項５】
前記気流抵抗部は、前記凹部を複数有することによって形成された凹凸を有する請求項１〜４のいずれか一項記載の室外機。
【請求項６】
前記複数の桟同士を一体に接続し、前記桟同士を固定する支持桟をさらに有し、
前記支持桟のケーシング外側の端部には、前記気流抵抗部と略同一の形状の平面部又は前記ケーシング内に向けて凹む凹部の少なくとも一方が形成されている請求項１〜５のいずれか一項記載の室外機。
【請求項７】
前記桟は、前記桟のケーシング内側の端面が半円状又は半楕円状である請求項１〜６のいずれか一項記載の室外機。
【請求項８】
隣接する前記桟の幅方向の間隔が最小となる部分は、前記桟の少なくとも前記ケーシング外側にある請求項１〜７のいずれか一項記載の室外機。
【発明の詳細な説明】
【技術分野】
【０００１】
本発明は、ファンの運転停止時に室外機に外気が入り込みにくい吹出しグリルを備えた室外機に関するものである。
【背景技術】
【０００２】
近年、室内を快適な温度に保つため、室内の温度を調整する空気調和装置が多用されている。空気調和装置は、室内に設置される室内機と、当該室内機に連結され、室外に設置される室外機とで構成されている。室内機は、その内部に熱交換器を有し、当該熱交換器を通じて外気と熱のやりとりをする。室外機は、室内機で得られた熱を外気に放出したり、その逆を行ったりするものであり、ケーシングと、前記ケーシングの一面に設けられた吸出口と、前記吹出口に向けて空気を吹き出すファンと、前記吹出口に取り付けられた吹出しグリルと、を備えている。
【０００３】
このような構成の空気調和装置において、運転停止時にケーシング内に外気が入り込むと、室外機内のファンが通常運転時の回転方向とは逆向きに回転することがある。特に台風時に発生するような強風が室外機に入り込むと、室外機内のファンが高速で逆回転してその遠心力によりファンの羽根が破損したり、一部損傷したりすることがある。
【０００４】
このようなファンの破損を防止するための試みとして、例えば特許文献１には、室外機の吹出しグリルの外側に開閉自在のブラインドを取り付けている。このブラインドは、空気調和装置の運転時には開かれる一方で、空気調和装置の停止時には閉められる。このようなブラインドの動作により、台風等で強風が吹き荒れるときにも強風が室外機に入ることを防止できるので、ファンの損傷を防止することができる。
【０００５】
上記特許文献１に開示のブラインドは、逆風が室外機に入るのを効果的に防止し得るという点で有効であるものの、その設置コストが高くなるため、現実的に採用することは困難である。
【０００６】
そこで、特許文献１に開示の方法以外の手法として、例えば特許文献２には、ファンの中心（ボス部）と吹出しグリルとの間の吹出しグリル側に回転抑制部を取り付ける技術が開示されている。この回転抑制部は、吹出しグリルに所定の風速以上の外風が吹き付けられたときに吹出しグリルが弾性変形してファンのボス部と接するようになっている。この接触により回転抑制部とファンとの間に摩擦が生じ、逆風が吹き付けられたときにもファンが逆回転しにくくなる。
【先行技術文献】
【特許文献】
【０００７】
【特許文献１】特開２０００−１６１７１５号公報
【特許文献２】特許第４２５２４７４号公報
【発明の概要】
【発明が解決しようとする課題】
【０００８】
特許文献２に開示の回転抑制部を用いるためには、弾性変形可能な吹出しグリルを用いることが必須となるが、弾性変形可能な吹出しグリルを用いた場合には、その吹出しグリルに意図せず外力が加わった場合に、室外機のケーシング内に吹出しグリルが入り込んでファンと接触し、ファンの回転数が低下したり、異音が生じたりする。このような懸念があるため、上記回転抑制部を吹出しグリルに取り付ける形態も実用化には至っていない。このような事情から逆風が入り込むことを効果的に抑制し得る吹出しグリルの登場が待ち望まれている。
【０００９】
本発明は、上記現状に鑑みてなされたものであり、その目的とするところは、外部からファンに向けて空気流が流れ込みにくい吹出しグリルを備える室外機を提供することにある。
【課題を解決するための手段】
【００１０】
前記の目的を達成するため、本発明は、ファンを収納するケーシングと、前記ケーシングに取り付けられる吹出しグリルとを備える室外機であって、前記吹出しグリルは、互いに間隔をおいて配置される複数の桟を備え、前記桟のケーシング外側の端部には、前記ケーシング内に入り込む気流の流れを乱す気流抵抗部が形成されており、前記桟の長手方向に直交する断面における前記桟の幅が最大となる部分は、前記桟の少なくとも前記ケーシング外側にあり、前記気流抵抗部は、平面部又は前記ケーシング内に向けて凹む凹部の少なくともいずれか一方を有することを特徴とする。
【００１１】
上記気流抵抗部を有する吹出しグリルを用いることにより、ケーシング内に入り込もうとする気流（以下「逆風」とも記す）が気流抵抗部に衝突して乱流となるため逆風の気流抵抗が高められる。しかも、桟の幅がケーシング外側に位置することにより、逆風が桟と桟の間の吹出口を通過しにくくなってケーシング内に入り込みにくくなる。上記構成によって得られる効果が相俟って、逆風がケーシング内に入り込むことを顕著に抑制することができ、以って逆風によるファンの逆回転及びそれによるファンの損傷を抑制することができる。また、ケーシング外側の桟と桟の間の吹出口が狭くなるため、吹出しグリル内に指や異物を入りにくくすることができ、安全性を高めることができるという利点もある。
【００１２】
上記構成において、好ましくは、前記桟の断面における前記桟の最大幅ｄに対する前記気流抵抗部の幅ｄ１の比ｄ１／ｄが０．２以上０．９以下である。
【００１３】
上記の範囲を満たす気流抵抗部を設けることにより、逆風の気流抵抗がさらに高められ、逆風がケーシング内に入り込むことを抑制することができる。
【００１４】
上記構成において、好ましくは、前記桟の幅が最大となる部分は、前記桟のケーシング内側から前記ケーシング外側に向けて一定の長さを有する。
【００１５】
上記構成によれば、ファンからの空気流（以下、「順風」と記すこともある）が桟と桟の間の吹出口を通過するときに桟の側面で気流が剥離しにくくなるため、順風の気流抵抗を下げることができる。これによりファンの回転時にファンによってケーシング内の空気を効率的にケーシング外に放出することができる。
【００１６】
ファンからの空気流はファンの中心側ではほぼファンの回転軸に平行に流れるが、ファンの外周近傍では当該ファンの半径方向外側に傾斜する方向に流れやすい傾向がある。上記桟の形状とすることにより、部位によって異なるファンからの空気流のいずれの方向に対しても、その気流抵抗を低くすることができるため順風を効率的にケーシング外に放出することができる。
【００１７】
上記構成において、好ましくは、前記桟の幅は、前記ケーシング内側から前記ケーシング外側に向けて徐々に厚くなっている。
【００１８】
この構成によれば、ファンからの空気流が桟の側面で剥離することなくケーシング外に放出することができる一方で、桟のケーシング外側の厚みは厚くなっているので、逆風が桟に衝突しやすくなり、逆風の気流抵抗を高めることができる。
【００１９】
上記構成において、好ましくは、気流抵抗部は、前記凹部を複数有することによって形成された凹凸を有する。
【００２０】
上記構成によれば、気流抵抗部の表面積をより増やすことができることにより、ファンに向けて吹く逆風が吹出しグリルの気流抵抗部に衝突して乱流が生じやすくなり、逆風の気流抵抗を顕著に高めることができる。
【００２１】
上記構成において、好ましくは、前記複数の桟同士を一体に接続し、前記桟同士を固定する支持桟をさらに有し、前記支持桟のケーシング外側の端部には、前記気流抵抗部と略同一の形状の平面部又は前記ケーシング内に向けて凹む凹部の少なくとも一方が形成されている。
【００２２】
上記構成によれば、吹出しグリルを構成する桟だけでなく、その桟同士を繋ぐ支持桟にも気流抵抗部と略同一の形状の平面部又は凹部が形成されるので、逆風の気流抵抗をさらに高めることができる。これにより逆風が桟と桟の間の吹出口を通過しにくくなるため、逆風によるファンの逆回転及びそれによるファンの損傷を顕著に抑制することができる。
【００２３】
上記構成において、好ましくは、前記桟は、前記桟のケーシング内側の端面が半円状又は半楕円状である。
【００２４】
上記構成によれば、上述のようにファンの外周近傍では当該ファンの半径方向外側に傾斜する方向に流れやすい傾向があるが、部位によって異なる方向に流れるファンからの空気流のいずれの方向に対しても、桟のケーシングの内側の端面で剥離されにくくなるので、ケーシング内の空気をケーシング外に円滑に放出することができる。
【００２５】
上記構成において、好ましくは、隣接する前記桟の幅方向の間隔が最小となる部分は、前記桟の少なくとも前記ケーシング外側にある。
【００２６】
上記構成によれば、ケーシング外側に隣接する前記桟の幅方向の間隔が最小となる部分を設けることにより、逆風が桟と桟の隙間を通過しにくくすることができる。しかも、ケーシング外側の桟と桟の間の幅が狭くなるため、吹出しグリル内に指や異物を入りにくくすることができ、安全性が高まるという利点もある。
【発明の効果】
【００２７】
本発明によれば、外部からファンに向けて空気流が流れ込みにくい吹出しグリルを備える室外機を提供することができる。
【図面の簡単な説明】
【００２８】
【図１】本発明の実施形態１に係る吹出しグリルを備える空気調和装置用室外機の斜視図である。
【図２】図１の正面図である。
【図３】図１のＩＩＩ−ＩＩＩ線断面図である。
【図４】図２のＩＶ−ＩＶ線断面図である。
【図５】図４のＶで示す部分の拡大図である。
【図６】実施形態１の桟の長手方向に直交する面で桟を切断した断面の拡大図である。
【図７】実施形態１における吹出しグリルに対する順風時の風の流れを示す模式的な断面図である。
【図８】実施形態１における吹出しグリルに対する逆風時の風の流れを示す模式的な断面図である。
【図９】実施形態２の吹出しグリルの桟の長手方向に直交する面で桟を切断した断面図（実施形態１の図５相当図）である。
【図１０】実施形態２の吹出しグリルの桟の長手方向に直交する面で桟を切断した断面の拡大図（実施形態１の図６相当図）である。
【図１１】実施形態３の吹出しグリルの桟の長手方向に直交する面で桟を切断した断面の拡大図（実施形態１の図６相当図）である。
【図１２】実施形態４の吹出しグリルの桟の長手方向に直交する面で桟を切断した断面の拡大図（実施形態１の図６相当図）である。
【図１３】実施形態５の吹出しグリルの桟の長手方向に直交する面で桟を切断した断面の拡大図（実施形態１の図６相当図）である。
【図１４】実施形態６の吹出しグリルの桟の長手方向に直交する面で桟を切断した断面の拡大図（実施形態１の図６相当図）である。
【図１５】吹出しグリルの変形例の正面図である。
【図１６】吹出しグリルの変形例の正面図である。
【発明を実施するための形態】
【００２９】
以下、本発明を実施するための形態について図面を参照しながら詳細に説明する。
【００３０】
（実施形態１）
＜室外機の全体構造＞
図１は、本実施形態の吹出しグリルを備える空気調和装置用の室外機の基本的構成を示す図であり、図２は図１の正面図、図３は図２のＩＩＩ−ＩＩＩ線断面図、図４は図２のＩＶ−ＩＶ線断面図、図５は図４のＶで示す部分の拡大図である。本実施形態の室外機１は、図１及び図２に示すように、箱型のケーシング２と、吹出しグリル３とを備えている。
【００３１】
ケーシング２は、図１〜図３に示すように、前壁２ａと、当該前壁２ａの後方側に対向する後壁２ｂと、左側壁２ｃと、右側壁２ｄと、底板２ｅと、天板２ｆとを備えている。前壁２ａは、矩形形状の平板からなり、吹出口２１を有する。吹出口２１には、吹出しグリル３が取り付けられている。また、左側壁２ｃ及び右側壁２ｄはそれぞれ、前壁２ａ及び後壁２ｂの左右の端部に前壁２ａ及び後壁２ｂと直交する方向を向いて一体化されている。図３に示されるように、後壁２ｂは矩形形状の開口２２を有する。開口２２には吸込みグリル４が取り付けられている。
【００３２】
ケーシング２は、図３に示すように、内部に直方体形状の収納空間５を有し、当該収納空間５は、仕切り板６によって熱交換室５ａおよび機械室５ｂとの２つの空間に仕切られている。熱交換室５ａには、Ｌ字形状の横断面を有する熱交換器７と、熱交換器７の長辺に対向して後壁２ｂ側から順にファンモータ８とファン９とが配置されている。ファンモータ８の回転軸８ａにファン９が連結されている。ケーシング２内部の機械室５ｂには、圧縮機１２等が収納されている。圧縮機１２は熱交換器７から出た冷媒または当該熱交換器７に入る前の冷媒を圧縮する。ファン９が回転することによりケーシング外の外気が図３中のＡ１に示す方向、つまり吹込みグリル４を通過してケーシング２内に流入し、吹出しグリル３を通過してケーシング２外に放出される。
【００３３】
＜吹出しグリル３の詳細構造＞
吹出しグリル３は、図２及び図４に示すように、吹出口２１の周縁部に取り付けるための取付部３０と、取付部３０を外周に有する枠部３１と、枠部３１の内部において、互いに間隔をおいて左右に延びる複数の桟３２と、複数の桟３２同士を一体に接続し、桟３２の軸方向に垂直に延びる支持桟３３とを有している。取付部３０、枠部３１、複数の桟３２及び支持桟３３は合成樹脂などによって一体成形されている。なお、上記の桟３２は、左右に延びる形態のみに限られず、上下方向に延びるものであってもよい。
【００３４】
以下の説明において、「上」及び「下」はケーシングの吹出口に吹出しグリル３を取り付けたときの上下方向に対応するものとし、桟３２の上下方向の長さのことを桟３２の幅というものとする。この上下方向に垂直な方向においてケーシングの内側に向かう側のことを「ケーシング内側」とし、このケーシング内側の反対方向、つまりケーシングの外側に向かう方向を「ケーシング外側」というものとする。
【００３５】
図６は、桟３２の長手方向に直交する面で桟を切断した断面の拡大図である。桟３２は、図６に示すように、ケーシング外側に位置する第１端部４３と、前記第１端部４３に接続される一対の側面３４と、一対の側面３４のケーシング内側端同士を結ぶ第２端部３６とを有している。
【００３６】
第１端部４３（つまりケーシング外側の端部）は、図６の断面において、点Ａと点Ａ’とを結ぶ線分で表される平面部３５と、平面部３５の端部Ａ，Ａ’と一対の側面３４の端部Ｃ，Ｃ’とを滑らかに湾曲して繋ぐ一対の湾曲面３７とを有している。図６では、平面部３５の幅をｄ１として示している。この平面部３５は、気流抵抗部として機能する。つまり気流抵抗部は平面部３５からなる。一対の湾曲面３７はいずれも同一の曲率半径で湾曲している。この湾曲面３７の曲率半径ｒは、桟３２のケーシング内側からケーシング外側までの最大長さＤの１％以上２０％以下であり、より好ましくは３％以上１０％以下である。
【００３７】
第２端部３６（つまりケーシング内側の端部）は、点Ｂと点Ｂ’とを滑らかに結び、ケーシングの内側に膨出する半円弧面を呈している。この半円弧面の曲率半径は桟３２の最大幅ｄの半分としている。
【００３８】
一対の側面３４は、平滑な面で構成されており、図６における点Ｂから点Ｃまでを結ぶ線分で表される面と、点Ｂ’から点Ｃ’までを結ぶ線分で表される面とによって構成されている。一対の側面３４はそれぞれ平行に延びているので、側面３４同士の間隔は一様であり、この桟３２の最大幅となっている。
【００３９】
桟３２の幅が最大となる部分は、桟３２のケーシング内側からケーシング外側に向けて一定の長さを有している。ここでの「一定の長さ」とは、桟３２のケーシング内側からケーシング外側までの最大長さＤの１％以上９５％以下の長さを意味している。上記一定の長さは、ケーシング内側からケーシング外側までの２０％以上９０％以下であることが好ましく、より好ましくは６０％以上８０％以下である。
【００４０】
図６では、この桟３２の最大幅をｄとして示している。図６の桟３２の断面における桟３２の最大幅ｄに対する平面部３５の幅ｄ１の比ｄ１／ｄは、０．２以上０．９以下であることが好ましく、０．５以上０．９以下がより好ましいが、本実施形態においては、０．７以上０．８以下としている。
【００４１】
図５の桟３２の長手方向に直交する断面において、桟３２の幅が最大となる部分は、桟３２の少なくともケーシング外側にある。したがって、図５に示すように、隣接する桟３２同士の幅方向の間隔３８が最小となる部分は、桟３２の少なくともケーシング外側に位置している。ここで、「桟の少なくともケーシング外側」とは、桟３２のケーシング内側の端部からケーシング外側の端部までを結ぶ線分の中点よりもケーシング外側に位置する部分をいうものとし、以下の「支持桟のケーシング外側」も、上記桟のケーシング外側と同様の意味で用いている。
【００４２】
図示していないが、支持桟３３のケーシング外側の端部にも、桟３２の平面部３５と略同一の形状の平面部が形成されている。また支持桟３３のケーシング内側の端面も、桟３２の第２端部３６と同様に半円弧面とされており、支持桟３３の側面も、上記桟３２の側面３４と同様の形状とされている。また支持桟３３は、図５に示すように、桟３２のケーシング外側同士を互いに連結するように構成されている。
【００４３】
＜作用効果等＞
図７は順風時の風の流れを示す模式的な断面図である。桟３２及び支持桟３３のケーシング内側に位置する第２端部３６が半円弧面であるので、図７に示すように、ファン９からの空気流（つまり順風）が桟３２と桟３２の吹出口を通過するときに桟３２のケーシング内側の面で気流が剥離しにくくなり、順風の気流抵抗を下げることができる。
【００４４】
ファン９からの空気流はファン９の中心側ではほぼファン９の回転軸Ｃに平行に流れるが、ファン９の外周近傍では当該ファン９の半径方向外側に傾斜する方向に流れやすい傾向がある。この点、図６に示すように、桟３２及び支持桟３３のケーシング内側に位置する第２端部３６が半円弧面であり、かつ桟３２の幅が最大となる部分が、桟３２のケーシング内側からケーシング外側に向けて一定の長さを有していることにより、部位によって異なるファン９からの空気流のいずれの方向に対しても、その気流抵抗を低くすることができるため順風を効率的にケーシング外に放出することができる。
【００４５】
しかも、吹出しグリル３を構成する桟３２だけでなく、その桟３２同士を繋ぐ支持桟３３のケーシング内側も桟３２の第２端部３６と同形状の半円弧面としているので、順風をさらに効率的にケーシング外に放出することができる。
【００４６】
図８は逆風時の風の流れを示す模式的な断面図である。平面部３５はケーシング内に入り込む気流の流れを乱すために設けられている。上記平面部３５を設けることにより、図８に示すように、ケーシング内に入り込もうとする気流、つまり逆風が乱流となるため逆風の気流抵抗が高められる。
【００４７】
しかも、吹出しグリル３を構成する桟３２だけでなく、その桟３２同士を繋ぐ支持桟３３のケーシング側にも桟３２の平面部３５と略同一の形状の平面部が形成されているので、逆風の気流抵抗をさらに高めることができる。これにより逆風が桟３２同士の間隔３８を通過しにくくなるため、逆風によるファンの逆回転及びそれによるファンの損傷を顕著に抑制することができる。
【００４８】
（実施形態２）
実施形態２は、実施形態１における桟の第２端部（ケーシング内側）の断面形状を半楕円形状に代えたことが異なる他は実施形態１の室外機と同一の構成を有するものである。図９は、実施形態２における吹出しグリル３の桟３２ａの長手方向に直交する断面の拡大図（実施形態１の図５相当図）であり、図１０は、実施形態２の桟３２ａの長手方向に直交する面で桟を切断した断面の拡大図（実施形態１の図６相当図）である。本実施形態においては、図９及び図１０に示すように、桟３２ａの第２端部３６（ケーシング内側の点Ｂと点Ｂ’とを結ぶ湾曲面）がケーシング内側に膨出する半楕円形にしている。このように桟３２ａの第２端部３６（ケーシング内側）の断面形状を半楕円形とすることにより、実施形態１（図６）の桟３２ａの第２端部３６の断面形状が半円弧状の場合と同等かそれ以上に桟３２ａのケーシング内側での気流の剥離を抑制することができ、順風の気流抵抗をさらに下げることができる。
【００４９】
（実施形態３）
実施形態３は、実施形態１における桟の断面形状を、図１１に示すように変更したことが異なる他は実施形態１の室外機と同一の構成を有するものである。図１１は、実施形態３の桟の長手方向に直交する面で桟を切断した断面の拡大図（実施形態１の図６相当図）である。本実施形態における桟３２ｂは、図１１に示すように、ケーシング外側に位置する第１端部４３と、前記第１端部４３に接続される一対の側面３４と、一対の側面３４のケーシング内側同士を結ぶ第２端部３６とを有している。第１端部４３は、実施形態１と同様に平面部３５と一対の湾曲面３７とを有している。第２端部３６は、桟３２ｂの最大幅ｄとなる点Ｅ、Ｅ’よりもケーシング内側に膨出する半楕円状を呈している。一対の側面３４は、第１端部４３の端部と第２端部３６の最大幅ｄとなる点Ｅ、Ｅ’との間に形成されている。言い換えると、本実施形態における桟３２ｂの断面形状は、境界点Ｅを結ぶ線を短辺とし、端部Ｆを長辺の一端とする楕円のケーシング外側を幅方向に切断して平面部３５を形成し、当該平面部３５の上端及び下端を面取り加工して湾曲面３７としたものである。
【００５０】
桟３２ｂの断面において、桟３２ｂの最大幅ｄとなる境界点Ｅは、桟３２ｂのケーシング外側に位置するように設けられている。上記形状を有する桟３２ｂを用いることにより、実施形態１（図６）の桟３２ａと同等かそれ以上に桟のケーシング内側での気流の剥離を抑制することができ、順風の気流抵抗をさらに下げることができる。また桟３２ｂの最大幅ｄがケーシング外側に位置することにより、逆風が桟３２と桟３２の間を通過しにくくなってケーシング内に入り込みにくくなる。これらの効果により逆風によるファン９の逆回転及びそれによるファン９の損傷を抑制することができる。また、ケーシング外側の桟３２と桟３２の間隔３８の幅が狭くなるため、吹出しグリル３内に指や異物を入りにくくすることができ、安全性を高めることができるという利点もある。
【００５１】
（実施形態４）
実施形態４は、実施形態１における桟の断面形状を、図１２に示すように変更したことが異なる他は実施形態１の室外機と同一の構成を有するものである。図１２は、実施形態４の桟３２ｃの長手方向に直交する面で桟３２ｃを切断した断面の拡大図（実施形態１の図６相当図）である。本実施形態における桟３２ｃは、図１２に示すように、ケーシング外側に位置する第１端部４３と、前記第１端部４３に接続される第２端部３６とを有している。第１端部４３は、実施形態１と同様に平面部３５と一対の湾曲面３７とを有している。桟３２ｃの幅は、ケーシング内側から前記ケーシング外側に向けて最大幅ｄとなる点Ｇ、Ｇ’に至るまで徐々に厚くなっている。
【００５２】
第２端部３６は、桟３２ｂの最大幅ｄとなる点Ｇ、Ｇ’よりもケーシング内側に膨出する半楕円状を呈しており、桟３２ｃのケーシング内側の端部Ｈを起点として最大幅ｄとなる変曲点Ｇ、Ｇ’までケーシング外側に向かうにつれて徐々に桟３２ｃの幅が厚くなっており、最大幅ｄとなる変曲点Ｇ、Ｇ’と平面部３５の両端とが滑らかな湾曲面３７で接続される断面形状を有している。
【００５３】
上記形状を有する桟３２ｃを用いることにより、ファンからの空気流が桟３２ｃの側面で剥離することなくケーシング外に放出することができる一方で、桟３２ｃのケーシング外側の厚みは厚くなっているので、逆風が桟３２ｃに衝突しやすくなり、逆風の気流抵抗を高めることができる。
【００５４】
しかも、桟３２ｃの最大幅ｄがケーシング外側に位置することにより、逆風が桟３２ｃと桟３２ｃの間を通過しにくくなってケーシング２内に入り込みにくくなる。これらの効果が相俟って逆風がケーシング内に入り込むことを顕著に抑制することができ、以って逆風によるファンの逆回転及びそれによるファン９の損傷を抑制することができる。また、ケーシング外側の隣接する桟３２同士の間隔が狭くなるため、吹出しグリル３内に指や異物を入りにくくすることができ、安全性を高めることができるという利点もある。
【００５５】
（実施形態５）
実施形態５は、実施形態１における桟の断面形状を、図１３に示すように変更したことが異なる他は実施形態１の室外機と同一の構成を有するものである。図１３は、実施形態５の桟３２ｄの長手方向に直交する面で桟３２ｄを切断した断面の拡大図（実施形態１の図６相当図）である。図１３に示すように、本実施形態における桟３２ｄの第１端部４３は、ケーシング内に向けて凹む凹部３９と、凹部３９の端部と一対の側面３４の端部とを結ぶ湾曲面３７とを有している。このような凹部３９を設けることでも、実施形態１と同様かそれ以上にケーシング内に入り込もうとする気流（逆風）の流れを乱して乱流とすることができ、逆風の気流抵抗を高めることができる。なお、支持桟のケーシング外側の端部に、上記桟３２ｄの凹部３９と同一形状の凹部が形成されていてもよい。
【００５６】
上記凹部３９の形状は、図１３に示すような形状のみに限られず、ケーシング内に向けて凹む形状を有するものである限り特に限定することなく用いることができ、例えば滑らかに内側に湾曲した湾曲凹面形状であってもよい。また実施形態１〜４に開示の第１端部４３が凹部を有する構成であってもよい。つまり、第１端部４３は、平面部３５と、平面部３５の一部に形成された凹部と、平面部３５と側面３４とを結ぶ一対の湾曲部とを有していてもよい。
【００５７】
（実施形態６）
本実施形態は、実施形態１における桟の断面形状を、図１４に示すように変更したことが異なる他は実施形態１の室外機と同一の構成を有するものである。図１４は、実施形態６の桟３２ｅの長手方向に直交する面で桟３２ｅを切断した断面の拡大図（実施形態１の図６相当図）である。図１４に示すように、本実施形態における桟３２ｅの第１端部４３（ケーシング外側の端部）は凹凸４０と、凹凸４０の端部と一対の側面３４の端部とを滑らかに湾曲して繋ぐ一対の湾曲面３７とを有している。このような凹凸４０を設けることにより、ケーシング内に入り込もうとする気流（逆風）の流れを乱して乱流とすることができ、逆風の気流抵抗を高めることができる。
【００５８】
（その他の変形例）
上記実施形態１〜６においては、複数の桟３２及び複数の桟同士を繋ぐ支持桟３３がいずれも長尺状の棒状部材を縦横に離間して取り付けることによって構成された吹出しグリル３を開示しているが、このような実施形態の吹出しグリル３の形態のみに限られず、例えば図１５及び図１６に示す形状の吹出しグリルであってもよい。図１５及び図１６は、図２に示す吹出しグリル３の変形例の正面図である。
【００５９】
図１５に示す吹出しグリル３ｘは、吹出口２１の外周と略同一の矩形形状の枠部３１ｘと、吹出しグリル３ｘの中心Ｏの周方向に延びる複数の桟３２ｘと、当該半径方向へ向けて放射状に広がるように配置され、複数の桟３２ｘ同士を連結する複数の半径方向桟３３ｘと、吹出しグリル３ｘの中心Ｏに配置され、半径方向桟３３ｘと連結する中央板部３４ｘとを備えている。これらの枠部３１ｘ、複数の桟３２ｘ、半径方向桟３３ｘ及び中央板部３４ｘは、合成樹脂などによって一体成形されている。このような吹出しグリル３ｘの形状のものに対しても上記実施形態１〜６に示した断面形状の吹出しグリルを適用することにより、実施形態１〜６で得られた効果と同様の効果を得ることができる。
【００６０】
図１６に示す吹出しグリル３ｙは、実施形態１の吹出しグリルに対して複数の桟３２ｙが上下に捻じれた形状を有している。上述のようにファン９の外周近傍では当該ファン９の半径方向外側に傾斜する方向に流れやすい傾向があるので、その流れる方向に合わせて複数の桟３２ｙを捻じっている。このような形状の吹出しグリル３ｙを用いても、実施形態１（図６）の桟３２ａと同等かそれ以上に桟のケーシング内側での気流の剥離を抑制することができ、順風の気流抵抗をさらに下げることができる。
【００６１】
上記実施形態においては、桟３２の最大幅ｄに対する平面部３５の幅ｄ１の比ｄ１／ｄが０．７の場合を説明したが、上記ｄ１／ｄは０．２以上０．９以下の範囲であれば、逆風の気流抵抗をさらに高めることができ、逆風がケーシング内に入り込むことを抑制することができることを確認している。
【符号の説明】
【００６２】
１  室外機
２  ケーシング
３，３ｘ，３ｙ  吹出しグリル
４  吸込みグリル
９  ファン
２１  吹出口
３０  取付部
３１，３１ｘ  枠部
３２，３２ａ，３２ｂ，３２ｃ，３２ｄ，３２ｅ，３２ｘ，３２ｙ  桟
３３  支持桟
３４  側面
３５  平面部（気流抵抗部の一例）
３６  第２端部
３７  湾曲面
３９  凹部（気流抵抗部の一例）
４０  凹凸（気流抵抗部の一例）
４３  第１端部
【図１】
2017120143.tif 000003
【図２】
2017120143.tif 000004
【図３】
2017120143.tif 000005
【図４】
2017120143.tif 000006
【図５】
2017120143.tif 000007
【図６】
2017120143.tif 000008
【図７】
2017120143.tif 000009
【図８】
2017120143.tif 000010
【図９】
2017120143.tif 000011
【図１０】
2017120143.tif 000012
【図１１】
2017120143.tif 000013
【図１２】
2017120143.tif 000014
【図１３】
2017120143.tif 000015
【図１４】
2017120143.tif 000016
【図１５】
2017120143.tif 000017
【図１６】
2017120143.tif 000018